(57)【要約】 【課題】蔓性植物を支持する緑化用支柱をベランダの手摺りや手摺りの支柱等の各種の保持部に安定的に略垂直状態で取り付けることのできる緑化用支柱の保持具を提供する。【解決手段】蔓性植物を支持する緑化用支柱６を略垂直に立設された状態でベランダの手摺り等の保持部１０に保持させるための保持具１である。結着材１７を用いて手摺り７に取り付けられる保持具本体１９と、これに装着される蓋部材２０とを具える。保持具本体１９は、前後方向の後端部分に、手摺りへの取付け部３５を有し、その前端部分に、緑化用支柱６の被保持部分４５を嵌め入れる保持溝部３２を有する。蓋部材２０は、保持溝部３２に被保持部分４５を嵌め入れた後に、これを覆うように保持具本体１９に装着される。保持具本体１９に蓋部材２０が装着されて形成された保持孔部７９に、緑化用支柱６の被保持部分４５を挿通状態となし得る。【選択図】図３
2013099312.tif 000002
【特許請求の範囲】
【請求項１】
蔓性植物を支持する緑化用支柱を略垂直に立設された状態で保持部に保持させるために用いられる緑化用支柱の保持具であって、
結着材を用いて結着により前記保持部に取り付けられる保持具本体と、該保持具本体に装着される蓋部材とを具えており、
該保持具本体は、前後方向の後端部分に、前記保持部への取付け部を有すると共に、前後方向の前端部分に、前記緑化用支柱の被保持部分を嵌め入れる保持溝部を有しており、前記蓋部材は、該保持溝部に該被保持部分を嵌め入れた後に該被保持部分を覆うように前記固定具本体に固定状態に装着されるものであり、
前記保持具本体に前記蓋部材が装着されることによって形成された保持孔部に前記緑化用支柱の前記被保持部分を挿通状態となし得ることを特徴とする緑化用支柱の保持具。
【請求項２】
前記保持部が、水平方向に延長する横杆又は上下方向に延長する縦杆として構成される場合、前記保持具本体の前記取付け部が、外形が正方形状を呈し又は長方形状を呈しており、該取付け部の四隅には垂直な当接面が設けられ、上下の当接面間に、前記横杆を嵌め入れる横方向位置規制凹面が設けられると共に、左右の当接面間には、前記縦杆を嵌め入れる縦方向位置規制凹面が設けられていることを特徴とする請求項１記載の緑化用支柱の保持具。
【請求項３】
前記保持具本体は、前記保持部に取り付けられる取付け側の部材と、前記保持溝部を有する保持側の部材とに分割されており、適宜長さの取付け側の部材と適宜長さの保持側の部材を、両者の端部相互を当接状態に連結することにより、所要長さの前記保持具本体を構成できる如くなされており、該取付け側の部材は、前後方向の後端部分に、前記保持部への前記取付け部を有する一方、前記保持側の部材は、前記緑化用支柱の被保持部分を嵌め入れる保持溝部を有しており、前記蓋部材は、該保持溝部に該被保持部分を嵌め入れた後に該被保持部分を覆うように前記固定具本体に装着されることを特徴とする請求項１記載の緑化用支柱の保持具。
【請求項４】
前記取付け側の部材は、前後方向の後端部分に、前記保持部への取付け部を有すると共に、前後方向の前端部分には、前記緑化用支柱の被保持部分を嵌め入れ可能とする保持溝部を有したものともなされており、又前記蓋部材は、該保持溝部に該被保持部分を嵌め入れた後に該被保持部分を覆うように前記取付け側の部材に装着可能ともなされており、
前記取付け側の部材に前記蓋部材が装着されることによって形成された保持孔部に前記緑化用支柱の前記被保持部分を挿通状態となし得ることを特徴とする請求項３記載の緑化用支柱の保持具。
【請求項５】
前記保持部が、水平方向に延長する横杆又は上下方向に延長する縦杆として構成される場合、前記保持具本体の前記取付け部が、外形が正方形状を呈し又は長方形状を呈しており、該取付け部の四隅には垂直な当接面が設けられ、上下の当接面間に、前記横杆を嵌め入れる横方向位置規制凹面が設けられると共に、左右の当接面間には、前記縦杆を嵌め入れる縦方向位置規制凹面が設けられていることを特徴とする請求項３又は４記載の緑化用支柱の保持具。
【請求項６】
前記保持具本体の前記保持部側の部位には、前記結着材を上下方向で挿通させるための縦挿通孔が設けられると共に、前記結着材を左右方向で挿通させるための横挿通孔が設けられていることを特徴とする請求項１〜５の何れかに記載の緑化用支柱の保持具。
【請求項７】
前記保持孔部の径を前記緑化用支柱の径よりも若干大きく形成して遊びを設けることを特徴とする請求項１〜５の何れかに記載の緑化用支柱の保持具。
【請求項８】
前記蓋部材は前記保持具本体と別体に形成されており、該保持具本体には前記保持溝部の左右対向する縁部分の外面側に、前記前後方向の後側に位置させて、上下方向に延長する第１の係合溝部が設けられると共に、前後方向の前側に位置させて、上下方向に延長する第１の係合突条部が該第１の係合溝部に隣り合わせて設けられる一方、前記蓋部材の左右対向する縁部分には、前記第１の係合溝部に上下方向でスライドして係合し得る第２の係合突条部と、前記第１の係合突条部を上下方向でスライドさせ得る第２の係合溝部が設けられていることを特徴とする請求項１記載の緑化用支柱の保持具。
【請求項９】
前記保持部は、ベランダの手摺り、又は、該手摺りの支柱であることを特徴とする請求項１記載の緑化用支柱の保持具。
【発明の詳細な説明】
【技術分野】
【０００１】
本発明は、緑化用支柱の保持具に関するものである。より詳しくは、蔓性植物を支持する緑化用支柱を略垂直に立設された状態でベランダ等の手摺りや支柱等の保持部に保持させるために用いられる緑化用支柱の保持具に関するものである。
【背景技術】
【０００２】
蔓性植物を建物の窓の外側で繁茂させることにより、日差しを遮る遮光作用と植物の蒸散作用を発揮させ、これによって室温の上昇を抑制する等の目的で、建物の窓を外側から覆うように設置される建物窓用の蔓性植物支持装置が提案されている。その一例として、実用新案登録第３１４９８５７号公報（特許文献１）が開示するものが存する。
【０００３】
図３２は、かかる構成を有する蔓性植物支持装置ａを例えばベランダに設置した状態を示すものであり、該蔓性植物支持装置ａを構成する支柱枠体ｂが、建物ｃの窓ｄの多くの部分を外側から覆うように斜めに立て掛けられる。該支柱枠体ｂは、その下端ｅがベランダの床面ｆに載り且つその上端ｇが外壁ｈに当接して傾斜状態にあり、該支柱枠体ｂはネット状物ｊで覆われている。そして該床面ｆには、該支柱枠体ｂの下部の前側（前記窓ｄと反対側）やその後側にプランターｋが設置されている。
【０００４】
然して、該プランターｋで胡瓜やゴーヤ等の蔓性植物を栽培すると、該蔓性植物は、その蔓が前記ネット状物ｊに巻きつきながら成長でき該ネット状物ｊに繁茂した状態となる。かかる繁茂状態になると、窓の外側を効果的に緑化でき、日差しを遮る遮光作用と植物の蒸散作用とによって室温の上昇を抑制できることになる。
【０００５】
しかしながら、このようにして支柱枠体ｂのネット状物ｊで蔓性植物を栽培した場合は、窓を開けたときに目の前に支柱やネット状物、植物が現れて圧迫感があった。又、ベランダは比較的狭い空間であるために、支柱枠体ｂを斜めに立て掛けた状態にすると、ベランダのスペースが狭くなってベランダを有効活用できなくなる問題もあった。
【先行技術文献】
【特許文献】
【０００６】
【特許文献１】実用新案登録第３１４９８５７号公報
【発明の概要】
【発明が解決しようとする課題】
【０００７】
本発明は、前記従来の問題点に鑑みて開発されたものであり、蔓性植物を支持する緑化用支柱を、略垂直に立設された状態で、ベランダやテラスの手摺りや手摺りの支柱等としての保持部に、又、屋上に設けられている手摺りや手摺りの支柱等としての保持部に、その他、各種の柵状の構造物における保持部に、安定的にしかも簡易に取り付けることのできる緑化用支柱の保持具の提供を課題とするものである。
【課題を解決するための手段】
【０００８】
前記課題を解決するため、本発明は以下の手段を採用する。
即ち、本発明に係る緑化用支柱の保持具（以下保持具という）は、蔓性植物を支持する緑化用支柱を略垂直に立設された状態で保持部に保持させるために用いられるものであって、結着材を用いて結着により前記保持部に取り付けられる保持具本体と、該保持具本体に装着される蓋部材とを具えている。該保持具本体は、前後方向の後端部分に、前記保持部への取付け部を有すると共に、前後方向の前端部分に、前記緑化用支柱の被保持部分を嵌め入れる保持溝部を有しており、前記蓋部材は、該保持溝部に該被保持部分を嵌め入れた後に該被保持部分を覆うように前記固定具本体に固定状態に装着されるものである。そして、前記保持具本体に前記蓋部材が装着されることによって形成された保持孔部に前記緑化用支柱の前記被保持部分を挿通状態となし得ることを特徴とするものである。
【０００９】
前記保持具において、前記保持部が、水平方向に延長する横杆又は上下方向に延長する縦杆として構成される場合、前記保持具本体の前記取付け部が、外形が正方形状を呈し又は長方形状を呈したものとし、該取付け部の四隅には垂直な当接面が設けられ、上下の当接面間に、前記横杆を嵌め入れる横方向位置規制凹面が設けられると共に、左右の当接面間には、前記縦杆を嵌め入れる縦方向位置規制凹面が設けられたものとして構成するのがよい。
【００１０】
前記保持具において、前記保持具本体を、前記保持部に取り付けられる取付け側の部材と、前記保持溝部を有する保持側の部材とに分割し、適宜長さの取付け側の部材と適宜長さの保持側の部材を、両者の端部相互を当接状態に連結することにより、所要長さの前記保持具本体を構成できる如くなす場合がある。この場合は、該取付け側の部材は、前後方向の後端部分に、前記保持部への前記取付け部を有する一方、前記保持側の部材は、前記緑化用支柱の被保持部分を嵌め入れる保持溝部を有したものとなされ、前記蓋部材は、該保持溝部に該被保持部分を嵌め入れた後に該被保持部分を覆うように前記固定具本体に装着される如く構成される。
【００１１】
このように構成する場合、前記取付け側の部材は、前後方向の後端部分に、前記保持部への取付け部を有すると共に、前後方向の前端部分には、前記緑化用支柱の被保持部分を嵌め入れ可能とする保持溝部を有したものともなし、又前記蓋部材は、該保持溝部に該被保持部分を嵌め入れた後に該被保持部分を覆うように前記取付け側の部材に装着可能ともなし、前記取付け側の部材に前記蓋部材が装着されることによって形成された保持孔部に前記緑化用支柱の前記被保持部分を挿通状態となし得るように構成すると、該取付け側の部材と前記蓋部材とを用いて保持具を構成できることともなって好ましい。
【００１２】
前記保持具本体を、前記取付け側の部材と保持側の部材とを連結して構成する場合において、前記保持部が、水平方向に延長する横杆又は上下方向に延長する縦杆として構成される場合、前記保持具本体の前記取付け部が、外形が正方形状を呈し又は長方形状を呈したものとし、該取付け部の四隅には垂直な当接面が設けられ、上下の当接面間に、前記横杆を嵌め入れる横方向位置規制凹面が設けられると共に、左右の当接面間には、前記縦杆を嵌め入れる縦方向位置規制凹面が設けられたものとして構成するのがよい。
【００１３】
又、前記の各保持具において、前記保持具本体の前記保持部側の部位に、前記結着材を上下方向で挿通させるための縦挿通孔を設けると共に、前記結着材を左右方向で挿通させるための横挿通孔を設けるのがよい。
【００１４】
又、前記の各保持具において、前記保持孔部の径を前記緑化用支柱の径よりも若干大きく形成して遊びを設けるのがよい。
【００１５】
又、前記の各保持具において、前記蓋部材を前記保持具本体と別体に形成し、該保持具本体には前記保持溝部の左右対向する縁部分の外面側に、前記前後方向の後側に位置させて、上下方向に延長する係合溝部を設けると共に、前後方向の前側に位置させて、上下方向に延長する係合突条部を該係合溝部に隣り合わせて設ける一方、前記蓋部材の左右対向する縁部分には、前記係合溝部に上下方向でスライドして係合し得る係合突条部と、前記係合突条部を上下方向でスライドさせ得る係合溝部を設けるのがよい。
【００１６】
前記保持部は、好ましくは、ベランダの手摺りや該手摺りの支柱である。
【発明の効果】
【００１７】
本発明は以下の如き優れた効果を奏する。
(1) 本発明に係る保持具によるときは、胡瓜やゴーヤ、朝顔等の蔓性植物を支持する緑化用支柱を、ベランダの手摺りや手摺りの支柱等としての各種の保持部に、略垂直に安定状態で保持させることができる。
【００１８】
特に本発明をベランダの緑化に応用した場合は、ベランダの窓を外側から覆うように支柱枠体を斜めに立て掛ける特許文献１における場合とは異なり、手摺り壁側で、該窓から離して緑化用支柱を立設して蔓性植物を栽培できることになる。かかることから、従来におけるような、ベランダの窓を開けた際の圧迫感を解消できる。そして、緑化用支柱をこのように手摺り壁側で略垂直に保持できることは、ベランダの狭いスペースを物干し等の本来の目的に有効活用できることともなる。
【００１９】
(2) 本発明に係る保持具は、緑化用支柱の被保持部分を嵌め入れる保持溝部を有する保持具本体と、該保持溝部に被保持部分を嵌め入れた後に該被保持部分を覆うように該保持具本体に装着される蓋部材を具え、該蓋部材を装着することによって、該被保持部分を挿通状態となし得る保持孔部を形成するように構成されている。
【００２０】
かかることから、例えば図２に示すように、ネット状物１３が取り付けられてなる支柱枠体５の緑化用支柱６を保持部に保持させる場合であっても、該ネット状物１３に邪魔されることなく前記被保持部分４５を保持溝部３２に簡易に嵌め入れることができる。このように本発明によるときは、保持具に対する緑化用支柱の取り付けを簡易且つ確実に行い得ることとなる。
【００２１】
もしも保持具が、前記緑化用支柱を挿通させる筒状部を一体に具える場合は、ネット状物が取り付けられてなる支柱枠体の緑化用支柱を該筒状部に挿通させるということは不可能である。従って、支柱枠体を組み立てる前に該緑化用支柱を該筒状部に挿通させておかなければならない面倒さが生ずることになる。又、このようにして挿通状態にしたとしても、支柱枠体にネット状物を取り付けた後では、前記保持部の高さに合わせて保持具の高さ調整を行なわんとしても、ネット状物が障害となって保持具の高さ調整を行いにくい問題を招来することになる。保持具本体と蓋部材とで保持具を構成する本発明によるときは、かかる問題点を容易に解決できるのである。
【００２２】
(3) 前記保持具本体に前記蓋部材を装着する構成として、スライドによる前記係合手段を採用する場合は、保持溝部に被保持部分を嵌め入れた後に該被保持部分を覆うように蓋部材を装着すれば該蓋部材が外れる恐れはないので、保持具による緑化用支柱の保持状態を一層安定化させ得る。
【図面の簡単な説明】
【００２３】
【図１】ベランダの手摺り壁側で、本発明に係る保持具を用いて緑化用支柱を略垂直な立設状態で保持した状態を示す側面図である。
【図２】その斜視図である。
【図３】本発明に係る保持具を用いて緑化用支柱をベランダの手摺りに保持させた状態を示す斜視図である。
【図４】結着材を示す平面図である。
【図５】本発明に係る保持具を緑化用支柱と共に示す分解斜視図である。
【図６】その保持具の部分構成を示す斜視図である。
【図７】保持具本体を示す一部断面斜視図である。
【図８】保持具本体に設けた、結着材の帯状片を挿通させるための縦挿通孔と横挿通孔を示す断面図である。
【図９】本発明に係る保持具を用いて緑化用支柱をベランダの手摺りに保持させた状態を示す側面図である。
【図１０】その平面図である。
【図１１】保持具本体の取付け部を、これが取り付けられるベランダの手摺りと共に示す斜視図である。
【図１２】保持具本体の取付け部を、これが取り付けられるベランダの支柱と共に示す斜視図と、保持具本体の該支柱への取り付け状態を示す平面図である。
【図１３】保持具本体の取付け部を、これが取り付けられるベランダの手摺りと共に示す斜視図と、該取付け部を該手摺りに取り付けた状態を示す平面図である。
【図１４】保持具本体の取付け部を、これが取り付けられるベランダの支柱と共に示す斜視図と、該取付け部を該支柱に取り付けた状態を示す平面図である。
【図１５】保持具本体に蓋部材を取り付ける作業工程を説明する斜視図である。
【図１６】その側面図である。
【図１７】手摺り等の保持部に取り付けられる取付け側の部材と緑化用支柱を保持する保持側の部材との組み合わせによって本発明に係る保持具を構成した場合を、該保持具の使用状態で示す斜視図である。
【図１８】その保持具の構成を緑化用支柱と共に示す分解斜視図である。
【図１９】取付け側の角筒部の構成を示す一部断面斜視図である。
【図２０】その保持具の構成を示す分解斜視図である。
【図２１】取付け側の部材に対する保持側の部材の装着工程と、保持側の部材に対する蓋部材の装着工程を示す側面図である。
【図２２】取付け側の部材と保持側の部材とを組み合わせて構成した保持具本体をベランダの手摺りに取り付けると共に該保持側の部材に蓋部材を装着した状態を示す平面図である。
【図２３】取付け側の部材に保持側の部材を連結して構成された保持具を用いて、ベランダの手摺り壁側で緑化用支柱を略垂直な立設状態で保持した状態を示す側面図である。
【図２４】保持具本体に蓋部材を開閉可能に設けてなる保持具を示す斜視図である。
【図２５】ベランダの手摺りの支柱の上下部位において、緑化用支柱を保持具で保持した状態を示す側面図である。
【図２６】保持具本体の取付け部の他の態様を示す斜視図である。
【図２７】保持具本体の取付け部のその他の態様を示す斜視図である。
【図２８】本発明に係る保持具のその他の態様を緑化用支柱と共に示す分解斜視図である。
【図２９】保持具本体に蓋部材を取り付ける作業工程を説明する側面図である。
【図３０】取付け側の部材と保持側の部材とを組み合わせて構成した保持具本体を具える保持具のその他の態様を緑化用支柱と共に示す分解斜視図である。
【図３１】取付け側の部材に対する保持側の部材の装着工程と、保持側の部材に対する蓋部材の装着工程の、他の態様を示す側面図である。
【図３２】従来の蔓性植物支持装置を示す斜視図である。
【発明を実施するための形態】
【実施例１】
【００２４】
図１〜３において本発明に係る保持具１は、胡瓜やゴーヤ、朝顔等の蔓性植物をベランダ２においてその手摺り壁３側で繁茂させて緑化を図るに際し、該緑化を行うために用いる支柱枠体５を構成する左右の緑化用支柱６，６をベランダの手摺り７や手摺りの支柱９としての保持部１０に安定状態で保持させるために用いられる。
【００２５】
該支柱枠体５は、図１〜２に示すように、ベランダ床面１１で前記手摺り７の延長方向に所要間隔を置いて略垂直に立設された２本の前記緑化用支柱６，６相互を、上下３本の支柱連結杆１２，１２，１２で連結して構成されている。そして、該支柱枠体５の表面を覆うようにネット状物１３が取り付けられ、該ベランダ床面１１に設置したプランター１５で栽培した前記蔓性植物を該ネット状物１３のネット面１６に這わせて成長させるようになされている。
【００２６】
前記保持具１は図２〜３に示すように、結着材１７を用いて結着により前記手摺り７に取り付けられる保持具本体１９と、該保持具本体１９に装着される蓋部材２０とを具えており、該蓋部材２０は該保持具本体１９とは別体に構成されて該保持具本体１９に着脱可能とされている。ここに該結着材１７は、本実施例においては図４に示すように、可撓性を有し且つ、突部としての第１の係合部２１が長さ方向に並設されてなる帯状片２２の一端に、係合孔２３を有するボックス状係合体２５が設けられている。そして、該帯状片２２をループ状に屈曲させると共に該帯状片２２を前記係合孔２３に挿通させ、該係合孔２３に設けられた突部としての第２の係合部２６を前記第１の係合部２１に係合させることによって該帯状片２２のループ状部分２７（図３、図９）の長さを固定できるようになされている。
【００２７】
該保持具本体１９は、例えばＡＢＳ樹脂等の合成樹脂製のものであり、図３、図５〜７に示すように、前記手摺り７としての横杆２９と直交して該手摺り７から離れる方向（前後方向Ｆ１の前方向）に稍長く形成された角筒部３０の前端部分３１に、前記緑化用支柱６の被保持部分３１を嵌め入れる保持溝部３２が設けられると共に、該角筒部３０の後端部分３３には、前記保持部１０に対する取付け部３５が設けられている。
【００２８】
該角筒部３０は図５〜１０に示すように、平面視で、前後方向Ｆ１に稍長い長方形状を呈し、且つ上下端が開放した角筒状を呈しており、その上下方向の中央部位には仕切板部３６が設けられている。該仕切板部３６の上面３７と下面３９には夫々、前後方向Ｆ１に延長する２本の補強突条４０，４０が左右方向Ｆ２に所要間隔を置いて平行状態で設けられている。そして、該角筒部３０の前記手摺り７から離れる方向で見た前端面４１の左右方向の中央部分には、図５〜６に示すように、前後方向Ｆ１の後方向に向けて半円弧状に凹む半円弧状内周面４２を有する前記保持溝部３２が上下方向に延長する如く設けられている。該保持溝部３２には、図３、図９〜１０に示すように、略垂直に立設された前記緑化用支柱６の被保持部分４５を嵌め入れることができる。本実施例においては、前記角筒部３０の前後方向の長さは７０ｍｍ程度に設定されている。
【００２９】
そして図５〜６に示すように、前記角筒部３０の前端部分３１の、前記保持溝部３２の左右対向する縁部分４６，４６の外面側に、上下方向に延長する第１の係合溝部４７と第１の係合突条部４９が、前記前後方向Ｆ１で隣り合わせて設けられており、該第１の係合溝部４７，４７の下端は受部５０，５０で閉じられている。
【００３０】
又前記蓋部材２０は、例えばＡＢＳ樹脂等の合成樹脂製のものであり、図３、図５〜６に示すように、前後方向Ｆ１の前方向に向けて半円弧状の突に湾曲する蓋部材本体５１の左右対向する縁部分５２，５２に、前記第１の係合溝部４７に上下方向でスライドして係合し得る第２の係合突条部５３と、前記第１の係合突条部４９を上下方向でスライドさせ得る第２の係合溝部５５が設けられている。本実施例においては図６に示すように、該蓋部材本体５１の外面の中央部位にネジ孔５６が貫通状態で設けられている。
【００３１】
又前記取付け部３５は、本実施例においては図５に示すように、外形が正方形状を呈しており、その四隅には、垂直な当接面５７ａ，５７ｂ，５７ｃ，５７ｄが設けられている。又、上下の垂直な当接面５７ａ，５７ｂ間、５７ｃ，５７ｄ間には、軸線が水平方向であり且つ前記前後方向Ｆ１で見て前方向に円弧状に凹む横方向位置規制凹面６０が設けられている。又、左右の垂直な当接面５７ａ，５７ｃ間、５７ｂ，５７ｄ間には、軸線が上下方向であり且つ前記前後方向Ｆ１で見て前方向にＶ字状に凹む縦方向位置規制凹面６２が設けられている。
【００３２】
そして前記四隅の垂直な当接面５７ａ，５７ｂ，５７ｃ，５７ｄは、例えば図９〜１１、図１２に示すように、前記手摺り７の垂直な内側の側面６３や、前記支柱９の垂直な内側の面６４に当接し得る。又、前記横方向位置規制凹面６０は、例えば図１３に示すように、水平方向に延長する円形パイプからなる前記手摺り７としての前記横杆２９の前方側の円形周面部５９に当接し得る。又、前記縦方向位置規制凹面６２は、例えば図１４に示すように、上下方向に延長する円形パイプからなる前記手摺りの支柱９としての縦杆６１の前方側の円形周面部５９に当接し得る。本実施例においては、かかる独特の形態を有する取付け部３５（図５）によって、緑化用支柱６を各種の保持部１０に安定的に取り付けることができるのである。
【００３３】
又、前記角筒部３０の後端部分３３（前記保持具本体１９の前記保持部１０側の部位）には、図５、図７〜８、図９〜１０に示すように、前記仕切板部３６の後端部分の左右両側部位において、前記結着材１７の前記帯状片２２を上下方向に挿通させる縦挿通孔６５，６５が設けられている。又、前記角筒部３０の後端部分３３の左右の側面部６６，６６の上下部位には、前記結着材１７の前記帯状片２２を水平方向に挿通させる上下の横挿通孔６７，６９、６７，６９が設けられており、上の横挿通孔６７，６７と下の横挿通孔６９，６９は夫々、水平方向に連通状態で設けられている。
【００３４】
然して、前記保持具１で緑化用支柱６を保持するに際して、前記蓋部材２０を前記保持具本体１９に装着するに際しては、図１５〜１６に示すように、前記保持溝部３２に該緑化用支柱６の被保持部分４５を嵌め入れて後、該保持溝部３２の左右両側に設けられている前記第１の係合突条部４９，４９の上端部分７０，７０を、前記蓋部材２０の左右両側に設けられている第２の係合溝部５５，５５の下端部分７１，７１に嵌め入れると共に（図１６（Ａ））、該蓋部材２０の左右両側に設けられている第２の係合突条部５３，５３の下端部分７２，７２を、前記保持溝部３２の左右両側に設けられている第１の係合溝部４７，４７の上端部分７３，７３に嵌め入れた状態とする。
【００３５】
この状態で、該蓋部材２０を前記保持具本体１９に対して下方向にスライドさせ、図９、図１６（Ｂ）に示すように、該蓋部材２０の左右側部の下端面７５，７５を前記受部５０，５０の上面７６，７６に当接させる。これによって、該蓋部材２０を前記保持具本体１９に固定状態に装着できる。かかる蓋部材２０のスライドに際して、該蓋部材２０を下方向に押し込むにつれて稍抵抗が生ずるようにスライド部分にテーパーを設ける場合は、蓋部材２０を強固な固定状態で装着できる。このように蓋部材２０を装着することによって、前記保持溝部３２の半円弧状内周面４２と、前記蓋部材２０の半円弧状内周面７７とが一連に連なって、図１０、図３に示すように、前記被保持部分４５を挿通状態となし得る円形孔状の保持孔部７９が形成されることになる。該保持孔部７９の孔径は前記緑化用支柱６の直径よりも稍大きく設定されている。
【００３６】
図１〜３は、略垂直に立設された緑化用支柱６を前記構成の保持具１を用いて保持した状態を示している。同図においては、該緑化用支柱６が、ベランダの手摺り壁３側でベランダ床面１１に略垂直に立設されており、前記被保持部分４５が、前記手摺り７に結着されてなる前記保持具１の前記保持孔部７９に挿通状態とされている。このように挿通状態とするには、図１５に一点鎖線で示すように、前記緑化用支柱６を前記保持溝部３２に嵌め入れた状態にして後、前記蓋部材２０を、図１６に示す要領で前記保持具本体１９に装着する。これによって、図１〜２に示すように、立設状態の緑化用支柱６が前記手摺り７に安定的に保持されることになる。
【００３７】
なお、前記被保持部分４５は前記保持孔部７９において、ある程度の遊びがあった方が好ましい場合がある。本実施例においては２ｍｍ程度の遊びがある。これは、例えば強風時において緑化用支柱６に比較的大きな荷重が加わった場合に、手摺り等の保持部１０に無理な外力が作用しないようにするためである。但し、前記保持孔部７９での前記被保持部分４５のガタツキが大きい場合は、前記蓋部材本体５１に設けられたネジ孔５６に螺合されている押えネジ８０を用いて、前記遊びを所要に調整するのがよい。なお該押えネジ８０は、図１０に示すように、前記遊びを生じさせないように締め付けられることもある。
【００３８】
前記手摺り７は、本実施例においては図３に示すように、その上面８１が上に突の円弧面に形成されると共にその内側の側面６３が垂直面に形成されているため、前記保持具本体１９を該手摺り７に結着により取り付けるに際しては、図３、図７〜８に示すように、左右に位置する前記縦挿通孔６５，６５の夫々に前記結着材１７，１７の前記帯状片２２を挿通させ、各帯状片２２，２２を該手摺り７に巻き付ける。然る後、該帯状片２２を、その先側部分から前記ボックス状係合体２５の前記係合孔２３に挿通させ、帯状片２２の先側部分を把持して該帯状片２２を引っ張って締め付け、前記第２の係合部２６を前記第１の係合部２１と係合させる。これにより、前記保持具本体１９を該結着材１７を用いて手摺り（保持部１０）７に安定的に取り付けることができる。なお、前記ボックス状係合体２５から突出した帯状片２２の先側部分は適宜カットする。この状態で、前記要領によって、前記緑化用支柱６の前記被保持部分４５を前記保持孔部７９に挿通状態とする。
【００３９】
これによって、ネット状物１３が取り付けられた前記支柱枠体５を、ベランダ２においてその手摺り壁３側で略垂直な立設状態で保持できる。そして、ベランダ床面１１に設置したプランター１５で栽培した蔓性植物を該ネット状物１３のネット面１６に這わせて成長させることができる。
【００４０】
前記支柱枠体５による植物栽培の時期が終わった後に前記緑化用支柱６を保持具本体１９から取り外すに際しては、前記蓋部材２０を除去して緑化用支柱６を前記保持溝部３２から取り外す。前記保持具本体１９を保持部１０に前記のように結着する場合は、該保持部１０に対する保持具本体１９の取り付けを簡易且つ確実に行うことができながら、前記帯状片２２を切断することにより該保持具本体１９を保持部１０から容易に取り外すことができる。
【実施例２】
【００４１】
例えば、ベランダ２の手摺り壁３側で前記支柱枠体５を立設する場合において、手摺り壁３の上面８２で立設した支柱９で支持されてなる手摺り７に保持具１を介して緑化用支柱６を保持させる際、ベランダの構造によっては、該手摺り７と手摺り壁３の前側の立壁面７８（図１）との間の距離は一定でない場合がある。そこで、このような場合により適切に応じられるようにするために、本発明に係る保持具１を構成する保持具本体１９を、例えば図１７〜２０に示すように、手摺り７としての前記保持部１０に取り付けられる取付け側の部材８３と、前記緑化用支柱６を保持する保持側の部材８４との組み合わせで構成する場合がある。本実施例においては、適宜長さの取付け側の部材８３と適宜長さの保持側の部材８４を、両者の端部相互を当接状態に連結することにより、所要長さの保持具本体１９を構成できるようになされている。
【００４２】
前記取付け側の部材８３は、例えばＡＢＳ樹脂等の合成樹脂製のものであり、本実施例においては、実施例１における前記保持具本体１９と同一の構成を有している。より詳しくは、図１７〜２０に示すように、前記手摺り７としての横杆２９と直交して該手摺り７から離れる方向（前後方向Ｆ１の前方向）に稍長く形成された取付け側の角筒部８５の前端部分８６に連結凹部８７が設けられると共に、該角筒部８５の後端部分８９には、前記保持部１０に対する取付け部３５が設けられている。該取付け部３５は、実施例１における場合と同様に構成されている。
【００４３】
該取付け側の角筒部８５は、より具体的には図１８〜２０に示すように、平面視で、前記前後方向Ｆ１に稍長い長方形状を呈し、且つ上下端が開放した角筒状を呈しており、その上下方向の中央部位には仕切板部９１が設けられ、該仕切板部９１の上面９２と下面９３には夫々、前後方向Ｆ１に延長する２本の補強突条９５，９５が左右方向に所要間隔を置いて平行状態で設けられている。そして、該取付け側の角筒部８５の前記手摺り７から離れる方向で見た前端面９６の左右方向の中央部分には、前後方向Ｆ１の後方向に向けて半円弧状に凹む半円弧状内周面９７を有する前記連結凹部８７が、上下方向に延長する如く設けられている。本実施例においては、該取付け側の角筒部８５の前後方向の長さは７０ｍｍ程度に設定されている。
【００４４】
そして、図１８、図２０に示すように、前記取付け側の角筒部８５の前端部分８６の、前記連結凹部８７の左右対向する縁部分の外面側に、上下方向に延長する第３の係合溝部１０１と第３の係合突条部１０２が、前記前後方向Ｆ１で隣り合わせて設けられており、該第３の係合溝部１０１，１０１の下端は受部１０３，１０３で閉じられている。又、前記角筒部８５の後端部分８９（前記保持具本体１９の前記保持部１０側の部位）には、図１９に示すように、前記仕切板部９１の後端部分の左右両側部位において、前記結着材１７の前記帯状片２２を上下方向に挿通させる縦挿通孔１０６，１０６が設けられている。又、前記取付け側の角筒部８５の後端部分の左右の側面部１０７，１０７の上下部位には、前記結着材１７の前記帯状片２２を水平方向に挿通させる上下の横挿通孔１０９，１１０、１０９，１１０が設けられており、上の横挿通孔１０９，１０９と下の横挿通孔１１０，１１０は夫々、水平方向に連通状態で設けられている。
【００４５】
前記保持側の部材８４は、例えばＡＢＳ樹脂等の合成樹脂製のものであり、図１７〜２０に示すように、前記取付け側の部材８３に比して前後方向の長さが短い（例えば４５ｍｍ程度に設定されている）保持側の角筒部１１１の後端部分１１２に、前記連結凹部８７に略密接に嵌合し得る半円弧凸状の連結突部１１３が設けられると共に、該保持側の角筒部１１１の前端面１１５には、前記緑化用支柱６の被保持部分４５を嵌め入れる保持溝部３２が設けられている。そして該連結突部１１３の左右対向する縁部分には、前記第３の係合溝部１０１に上下方向でスライドして係合し得る第４の係合突条部１１９と、前記第３の係合突条部１０２を上下方向でスライドさせ得る第４の係合溝部１２０が設けられている。又、前記保持溝部３２の左右対向する縁部分の外面側に、上下方向で延長する第５の係合溝部１２２と第５の係合突条部１２３が、前記前後方向Ｆ１で隣り合わせて設けられており、該第５の係合溝部１２２，１２２の下端は受部１２５，１２５で閉じられている。
【００４６】
そして、前記保持側の部材８４には、実施例１におけると同様構成の蓋部材１２６が装着される。該蓋部材１２６は、例えばＡＢＳ樹脂等の合成樹脂製のものであり、図１８、図２０に示すように、前後方向Ｆ１の前方向に向けて半円弧状の突に湾曲する蓋部材本体１２７の左右対向する縁部分には、前記第５の係合溝部１２２に上下方向でスライドして係合し得る第６の係合突条部１３０と、前記第５の係合突条部１２３を上下方向でスライドさせ得る第６の係合溝部１３１が設けられている。本実施例においては図２０に示すように、該蓋部材本体１２７の外面の中央部位にネジ孔１３２が貫通状態に設けられている。
【００４７】
然して、該保持側の部材８４を該取付け側の部材８３に装着するに際しては、先ず図２１（Ａ）に示すように、前記取付け側の部材８３の有する連結凹部８７の左右両側に設けられている前記第３の係合突条部１０２，１０２の上端部分１３３，１３３を、前記保持側の部材８４の左右両側に設けられている前記第４の係合溝部１２０，１２０の下端部分１３５，１３５に嵌め入れると共に、前記保持側の部材８４の左右に設けられている第４の係合突条部１１９，１１９の下端部分１１７，１１７を前記第３の係合溝部１０１，１０１の上端部分１１８，１１８に嵌め入れた状態とする。
【００４８】
この状態で、該保持側の部材８４を前記取付け側の部材８３に対して下方向にスライドさせ、図２１（Ｂ）に示すように、第４の係合突条部１１９，１１９の下端面１３６，１３６を前記第３の係合溝部１０１，１０１の前記受部１０３，１０３の上面１３７，１３７に当接させる。これによって、該保持側の部材８４を該取付け側の部材８３に装着できる。かかる保持側の部材８４のスライドに際して、該保持側の部材８４を下方向に押し込むにつれて稍抵抗が生ずるようにスライド部分にテーパーを設ける場合は、保持側の部材８４を強固な固定状態で装着できる。
【００４９】
又、図２１（Ａ）に示すように、前記保持側の部材８４の前記保持溝部３２の左右両側に設けられている前記第５の係合突条部１２３，１２３の上端部分１３９，１３９を、前記蓋部材１２６の左右両側に設けられている第６の係合溝部１３１，１３１の下端部分１４０，１４０に嵌め入れると共に、該蓋部材１２６の左右両側に設けられている第６の係合突条部１３０，１３０の下端部分１４１，１４１を、前記保持溝部３２の左右両側に設けられている第５の係合溝部１２２，１２２の上端部分１４２，１４２に嵌め入れた状態で、該蓋部材１２６を前記保持側の部材８４に対して下方向にスライドさせ、図２１（Ｂ）に示すように、前記第６の係合突条部１３０，１３０の下端面１４３，１４３を第５の係合溝部１２２，１２２の前記受部１２５，１２５の上面１４５，１４５に当接させる。
【００５０】
これによって、該蓋部材１２６を該保持側の部材８４に装着できる。かかる蓋部材１２６のスライドに際して、該蓋部材１２６を下方向に押し込むにつれて稍抵抗が生ずるようにスライド部分にテーパーを設ける場合は、蓋部材１２６を強固な固定状態で装着できる。このように蓋部材１２６を装着することによって、図１７、図２２に示すように、前記保持溝部３２の半円弧状内周面１４６と、前記蓋部材１２６の半円弧状内周面１４７とが一連に連なって円形孔状の保持孔部７９が形成されることになる。該保持孔部７９の孔径は前記緑化用支柱６の直径よりも稍大きく設定されている。
【００５１】
これによって、図１７、図２２に示すように、所要長さの保持具１を構成できる。かかる構成を有する保持具１は、前記と同様の要領で、２本の結着材１７，１７を用いて前記手摺り（保持部１０）７に安定状態で取り付けることができる。図１７、図２３は、略垂直に立設された緑化用支柱６を前記保持具１を用いて保持した状態を示している。同図においては、該緑化用支柱６が、ベランダの手摺り壁３側で、ベランダ床面１１に略垂直に立設されており、前記被保持部分４５が、前記手摺り７に結着されてなる前記保持具１の前記保持孔部７９に挿通状態とされている。これによって、立設状態の緑化用支柱６が前記ベランダの手摺り７に安定的に保持されることになる。なお、実施例１における場合と同様に、前記被保持部分４５は前記保持孔部７９において、ある程度の遊びがあった方が好ましい場合がある。本実施例においては２ｍｍ程度の遊びがある。そして必要に応じ、前記ネジ孔１３２に螺合されている押えネジ８０を前記と同様にして螺合調整する。
【実施例３】
【００５２】
本発明は、前記実施例で示したものに限定されるものでは決してなく、「特許請求の範囲」の記載内で種々の設計変更が可能であることはいうまでもない。その一例を挙げれば次のようである。
【００５３】
(1) 図２４は、前記蓋部材２０の一方の側縁部１５０を、前記保持具本体１９に設けられている保持溝部３２の一方の側縁部１５１に蝶番部１５２を介して開閉可能に設けた場合を示している。該蓋部材２０の他方の側縁部１５３に設けられている第１の係合部１５５と前記保持溝部３２の他方の側縁部１５６に設けられている第２の係合部１５７とを着脱可能に凹凸係合させることによって、該蓋部材２０を閉蓋状態で維持させることができる。即ち、該蓋部材２０は前記固定具本体１９に固定状態に装着されることになる。かかる構成は、前記保持側の部材８４に装着される前記蓋部材１２６についても同様に採用できる。
【００５４】
(2) 図２５は、手摺り等を支持する支柱９（保持部１０）の上下に前記保持具１，１を取付け、該上下の保持具１，１によって緑化用支柱６を保持した状態を示している。
【００５５】
(3) 前記保持具本体１９を保持部１０に結着により取り付けるための結着材１７は、前記の他、紐状物であってもよい。又、前記保持具本体１９に対する結着材１７の取り付けは、該保持具本体１９に突設された突出片が有する止着孔に該結着材を挿通状態とする等、各種の取り付け手段を採用できる。
【００５６】
(4) 前記保持具本体１９を、取付け側の部材８３と保持側の部材８４とを連結して構成する場合、前記のように、連結凹部８７に連結突部１１３を嵌め入れて連結するのが好ましいが、保持側の部材８４の前記連結突部１１３を省略することもある。
又、取付け側の部材８３と保持側の部材８４とを連結して構成する場合、前後方向の長さの異なる複数の保持側の部材８４を用意し、これを、同一長さの取付け側の部材８３と組み合わせることによって、所要長さの保持具本体１９を構成することもある。
【００５７】
(5) 前記保持具本体１９の前記保持部１０に対する取付け部３５は、例えば図２６に示すような、外形が長方形状を呈するものとして構成されることもある。図２６においては、実施例１におけると同様にして、その四隅に、垂直な当接面５７ａ，５７ｂ，５７ｃ，５７ｄが設けられると共に、上下の取付け面５７ａ，５７ｂ間、５７ｃ，５７ｄ間には、水平方向に延長する横杆２９を嵌め入れる横方向位置規制凹面６０が設けられている。又、左右の取付け面５７ａ，５７ｃ間、５７ｂ，５７ｄ間には、上下方向に延長する縦杆６１を嵌め入れる縦方向位置規制凹面６２が設けられている。なお、該横方向位置規制凹面６０は図２７に示すようにＶ字状面として形成されてもよく、又、該縦方向位置規制凹面６２は円弧面として構成されてもよい。又、該取付け部３５が横方向位置規制凹面６０と縦方向位置規制凹面６２とを具える場合、その外形は、正方形状や長方形状以外の形状に形成されることもある。
【００５８】
(6) 前記保持具本体１９や前記保持側の部材８４に設ける保持溝部３２は、Ｖ字状面を具えるものとして構成されることもある。又、前記蓋部材２０，１２６は平板状態に構成されることもある。
【００５９】
(7) 前記第１の係合溝部４７，４７の下端に、前記蓋部材２０の左右の側部の下端面７５，７５を当接させるための受部５０，５０を設ける前記構成に代えて、図２８〜２９に示すように、前記蓋部材２０の前記第２の係合溝部５５，５５の上端に、前記第１の係合突条部４９の上端面１５９，１５９に当接し得る蓋部１６０，１６０を設ける構成を採用することもできる。
又図３０〜３１に示すように、前記取付け側の部材８３の前記第３の係合溝部１０１，１０１の下端を受部１０３，１０３で閉じる前記構成に代えて、前記保持側の部材８４の前記第４の係合溝部１２０，１２０の上端に、前記第３の係合突状部１０２，１０２の上端面１６１，１６１と当接し得る蓋部１６２，１６２を設ける構成を採用することもできる。
又、前記保持側の部材８４の前記第５の係合溝部１２２，１２２の下端を受部１２５，１２５で閉じる前記構成に代えて、前記蓋部材１２６の前記第６の係合溝１３１，１３１の上端に、前記保持側の部材８４の前記第５の係合突状部１２３，１２３の上端面１６３，１６３と当接し得る蓋部１６５，１６５を設ける構成を採用することもできる。
【００６０】
(8) 本発明に係る保持具１が取り付けられる保持部１０としては、前記したベランダの手摺りや手摺りの支柱であることの他、屋上やテラスにおける手摺りや手摺りの支柱であってもよく、その他、結着材を用いて結着により取り付け可能な部分であれば、建物の一部ではない屋外構造物の手摺り等であってもよく、その他、柵状構造物の表面部等であってもよい。
【符号の説明】
【００６１】
１  保持具
２  ベランダ
３  手摺り壁
５  支柱枠体
６  緑化用支柱
７  手摺り
９  手摺りの支柱
１０  保持部
１７  結着材
１９  保持具本体
２０  蓋部材
３１  被保持部分
３２  保持溝部
３５  取付け部
４７  第１の係合溝部
４９  第１の係合突条部
５３  第２の係合突条部
５５  第２の係合溝部
５６  ネジ孔
５７ａ  垂直な当接面
５７ｂ  垂直な当接面
５７ｃ  垂直な当接面
５７ｄ  垂直な当接面
６０  横方向位置規制凹面
６２  縦方向位置規制凹面
６５  縦挿通孔
６７  上の横挿通孔
６９  下の横挿通孔
７９  保持孔部
８０  押えネジ
８３  取付け側の部材
８４  保持側の部材
８７  連結凹部
１１３  連結突部
１１９  第４の係合突条部
１２０  第４の係合溝部
１２２  第５の係合溝部
１２３  第５の係合突条部
【図１】
2013099312.tif 000003
【図２】
2013099312.tif 000004
【図３】
2013099312.tif 000005
【図４】
2013099312.tif 000006
【図５】
2013099312.tif 000007
【図６】
2013099312.tif 000008
【図７】
2013099312.tif 000009
【図８】
2013099312.tif 000010
【図９】
2013099312.tif 000011
【図１０】
2013099312.tif 000012
【図１１】
2013099312.tif 000013
【図１２】
2013099312.tif 000014
【図１３】
2013099312.tif 000015
【図１４】
2013099312.tif 000016
【図１５】
2013099312.tif 000017
【図１６】
2013099312.tif 000018
【図１７】
2013099312.tif 000019
【図１８】
2013099312.tif 000020
【図１９】
2013099312.tif 000021
【図２０】
2013099312.tif 000022
【図２１】
2013099312.tif 000023
【図２２】
2013099312.tif 000024
【図２３】
2013099312.tif 000025
【図２４】
2013099312.tif 000026
【図２５】
2013099312.tif 000027
【図２６】
2013099312.tif 000028
【図２７】
2013099312.tif 000029
【図２８】
2013099312.tif 000030
【図２９】
2013099312.tif 000031
【図３０】
2013099312.tif 000032
【図３１】
2013099312.tif 000033
【図３２】
2013099312.tif 000034